【手続補正書】
【提出日】平成16年5月27日(2004.5.27)
【手続補正１】
【補正対象書類名】特許請求の範囲
【補正対象項目名】全文
【補正方法】変更
【補正の内容】
【特許請求の範囲】
【請求項１】
被検者の胃調節を決定するための第１および第２液状食の組の使用であって、
前記第１液状食が第１所定体積を有し、前記第２液状食が前記第１所定体積よりも大きな第２所定体積を有し、
前記第１液状食が被検者の胃から排出し始めた後に、前記第２液状食が被検者に投与され、そして
前記第１液状食と前記第２液状食の少なくとも１つの排出特性の間の偏差により被検者の胃調節が決定される、第１および第２液状食の組の使用。
【請求項２】
前記第２所定体積が前記被検者における胃拡張を引き起こすために十分である、請求項１に記載の液状食の組の使用。
【請求項３】
前記第２所定体積が少なくとも７５０ミリリットルの液である、請求項１に記載の液状食の組の使用。
【請求項４】
前記第１および第２液状食の少なくとも１つが、所定ｐＨ、所定カロリー値および前記第２液状食の所定組成の少なくとも１つにより生じる所定の胃保持特性を有する、請求項１に記載の液状食の組の使用。
【請求項５】
前記所定ｐＨが３．０よりも小さい、請求項４に記載の液状食の組の使用。
【請求項６】
前記所定カロリー値が少なくとも２００キロカロリーである、請求項５に記載の液状食の組の使用。
【請求項７】
前記所定組成がアイソトニック組成である、請求項５に記載の液状食の組の使用。
【請求項８】
前記被検者の胃からの前記第１液状食の前記少なくとも１つの排出特性が決定されるとすぐに前記第２液状食が投与される、請求項１に記載の液状食の組の使用。
【請求項９】
前記被検者での前記第１液状食の実質的に全ての生理学的効果が終了した時の後に前記第２液状食が投与される、請求項１に記載の液状食の組の使用。
【請求項１０】
前記第２液状食が、前記第１液状食の次の日に投与される、請求項９に記載の液状食の組の使用。
【請求項１１】
前記少なくとも１つの排出特性が、呼気検査、シンチグラフィ、Ｘ線コンピュータ断層撮影、γイメージングおよび超音波方法のうちの１つにより決定される、請求項１〜１０のいずれか一項に記載の液状食の組の使用。
【請求項１２】
被検者の胃調節を決定するための第１および第２液状食の組であって、
前記第１液状食が第１所定体積を有し、前記第２液状食が前記第１所定体積よりも大きな第２所定体積を有し、
前記第１液状食が被検者の胃から排出し始めた後に、前記第２液状食が被検者に投与され、そして
前記第１液状食と前記第２液状食の少なくとも１つの排出特性の間の偏差により被検者の胃調節が決定される、第１および第２液状食の組。
【請求項１３】
被検者の胃調節を決定するための所定体積を有する液状食の使用であって、
多数の正常被検者についての前記液状食の少なくとも１つの平均胃排出特性が既知であり、
当該被検者の胃からの前記液状食の少なくとも１つの排出特性が測定され、
多数の正常被検者についての前記液状食の前記少なくとも１つの平均胃排出特性と当該被検者の胃からの前記液状食の前記少なくとも１つの排出特性との間の偏差が、当該被検者の胃調節の指標を与える、液状食の使用。
【請求項１４】
前記所定体積が前記被検者における胃拡張を引き起こすために十分である、請求項１３に記載の液状食の組の使用。
【請求項１５】
前記所定体積が少なくとも７５０ミリリットルの液である、請求項１３に記載の液状食の使用。
【請求項１６】
前記液状食が、所定ｐＨ、所定カロリー値および前記液状食の所定組成の少なくとも１つにより生じる所定の胃保持特性を有する、請求項１３に記載の液状食の使用。
【請求項１７】
前記所定ｐＨが３．０よりも小さい、請求項１６に記載の液状食の使用。
【請求項１８】
前記所定カロリー値が少なくとも２００キロカロリーである、請求項１７に記載の液状食の使用。
【請求項１９】
前記所定組成がアイソトニック組成である、請求項１７に記載の液状食の使用。
【請求項２０】
前記排出速度が、呼気検査、シンチグラフィ、Ｘ線コンピュータ断層撮影、γイメージングおよび超音波方法のうちの１つにより決定される、請求項１３〜１９のいずれか一項に記載の液状食の使用。
【請求項２１】
被検者の胃調節を決定するための所定体積を有する液状食であって、
多数の正常被検者についての前記液状食の少なくとも１つの平均胃排出特性が既知であり、
当該被検者の胃からの前記液状食の少なくとも１つの排出特性が測定され、
多数の正常被検者についての前記液状食の前記少なくとも１つの平均胃排出特性と当該被検者の胃からの前記液状食の前記少なくとも１つの排出特性との間の偏差が、当該被検者の胃調節の指標を与える、液状食の使用。
【請求項２２】
被検者の胃内圧に対する食物体積の効果を決定するための、所定体積を有し、かつ、所定の胃滞留特性を有する同位体標識された液状食の使用であって、
当該被検者の胃からの前記液状食の少なくとも１つの排出特性が、当該被検者の呼気における前記液状食の同位体標識生成物を検出するために行われる呼気検査により残留胃体積の関数として決定される、同位体標識された液状食の使用。
【請求項２３】
被検者の胃内圧に対する食物体積の効果を決定するための、所定体積を有し、かつ、所定の胃滞留特性を有する同位体標識された液状食であって、
当該被検者の胃からの前記液状食の少なくとも１つの排出特性が、当該被検者の呼気における前記液状食の同位体標識生成物を検出するために行われる呼気検査により残留胃体積の関数として決定される、同位体標識された液状食。
【請求項２４】
被検者における胃腸障害を決定するための食物の使用であって、前記食物が第１および第２のマーカー物質を含んでなり、前記第１マーカー物質が被検者の胃において概ね吸収されず、かつ、細菌の存在下でガスを放出するものであり、前記第２マーカー物質が被検者の胃腸管における前記食物の位置を示すものであり、
前記被検者における前記ガスの発生が呼気検査により検出され、前記ガスが発生する被検者の胃腸管内の位置が前記第２マーカー物質により決定される、食物の使用。
【請求項２５】
前記ガスが水素である、請求項２４に記載の食物の使用。
【請求項２６】
前記第２マーカー物質の副生成物も呼気検査により検出され、前記被検者の呼気における前記ガスの出現と前記マーカー物質の副生成物の出現との間の時間的関係によって前記被検者の胃腸管内のガス発生位置が決定される、請求項２４または請求項２５に記載の食物の使用。
【請求項２７】
前記第２マーカー物質が炭素同位体で標識されており、前記副生成物が同位体標識二酸化炭素である、請求項２６に記載の食物の使用。
【請求項２８】
前記第１マーカー物質が前記被検者の小腸において代謝される糖であり、第２マーカー物質の検出時間に対する前記ガスの検出時間を用いて前記小腸における細菌過剰増殖の存在が決定される、請求項２４〜２７のいずれかに記載の食物の使用。
【請求項２９】
前記第２マーカー物質が前記被検者の小腸においても代謝される標識糖であり、前記被検者の呼気において前記第２マーカー物質の副生成物と前記ガスとが概ね同時に出現することが前記被検者における細菌過剰増殖の存在の指標である、請求項２８に記載の食物の使用。
【請求項３０】
前記第２マーカー物質が前記被検者の小腸においても代謝される標識糖であり、前記被検者の呼気における前記第２マーカー物質の副生成物の出現が前記ガスの出現よりも著しく先行することが前記被検者における細菌過剰増殖の不存在の概ね指標である、請求項２８に記載の食物の使用。
【請求項３１】
前記第１マーカー物質が、グルコースおよびラクツロースの少なくとも１種である、請求項２８〜３０のいずれか一項に記載の食物の使用。
【請求項３２】
前記第２マーカー物質が、標識された酢酸ナトリウム、オクタン酸ナトリウム、グルコース、アセチルロイシンプローブ、またはマイクロカプセル化標識基質の少なくとも１種である、請求項２８に記載の食物の使用。
【請求項３３】
前記第１マーカー物質が前記被検者の小腸において概ね代謝されない糖であり、前記第２マーカー物質の検出時間に対する前記ガスの検出時間を用いて前記被検者のオロセカル通過時間が決定される、請求項２４〜２７のいずれか一項に記載の食物の使用。
【請求項３４】
前記第１マーカー物質が前記被検者の小腸において吸収不良であると考えられる一群の糖であり、前記第１マーカー物質が実質的に吸収されないで前記被検者の大腸に到達し、そこで大腸菌の存在により前記ガスが発生し、前記第２マーカー物質の検出時間に対する前記ガスの検出時間を用いて前記被検者における糖不耐性が決定される、請求項２４〜２７のいずれか一項に記載の食物の使用。
【請求項３５】
前記第２マーカー物質が大腸において概ね吸収される同位体標識物質であり、前記第２マーカー物質の検出時間に対する前記ガスの検出時間を用いて前記被検者における糖不耐性が決定される、請求項３４に記載の食物の使用。
【請求項３６】
前記第２マーカー物質が炭素同位体により標識されたキシロースであり、前記副生成物が同位体標識二酸化炭素である、請求項３５に記載の食物の使用。
【請求項３７】
前記第２マーカー物質が小腸において概ね吸収される同位体標識物質であり、前記第２マーカー物質の標識副生成物および前記ガスの検出の相対的な時間および量を用いて前記被検者が糖不耐性および細菌過剰増殖の一方または両方を罹患しているかどうかが決定される、請求項３４に記載の食物の使用。
【請求項３８】
前記第２マーカー物質の前記標識副生成物の検出時間に対する、細菌の存在下での前記第１マーカー物質の部分に特徴的なガスの検出時間を用いて、前記被検者が細菌過剰増殖を羅患していることが決定される、請求項３７に記載の食物の使用。
【請求項３９】
前記第２マーカー物質の前記標識副生成物の検出よりも遅い前記ガスの検出が、前記被検者が糖不耐性を羅患していることを示す、請求項３７に記載の食物の使用。
【請求項４０】
前記第２マーカー物質の前記標識副生成物の検出と実質的に同時に起こる、細菌の存在下での前記第１マーカー物質に特徴的な前記ガスの第１の量の検出が、前記被検者が糖不耐性および細菌過剰増殖を羅患していることを示す、請求項３７に記載の食物の使用。
【請求項４１】
前記糖がラクトース、フルクトース、マルトースおよびスクロースからなる群の少なくとも１種である、請求項３４〜４０のいずれか一項に記載の食物の使用。
【請求項４２】
被検者における胃腸障害を決定するための食物であって、前記食物が第１および第２のマーカー物質を含んでなり、前記第１マーカー物質が被検者の胃において概ね吸収されず、かつ、細菌の存在下でガスを放出するものであり、前記第２マーカー物質が被検者の胃腸管における前記食物の位置を示すものであり、
前記被検者における前記ガスの発生が呼気検査により検出され、前記ガスが発生する被検者の胃腸管内の位置が前記第２マーカー物質により決定される、食物。
【請求項４３】
同位体呼気検査のための基質であって、マイクロカプセル化コーティング材料内に同位体標識物質を含んでなり、前記同位体標識物質が胃腸管の所定部分において放出されるように該マイクロカプセル化コーティング材料の性質が選ばれる、基質。
【請求項４４】
前記マイクロカプセル化コーティング材料は、該コーティング材料が通過する環境のｐＨ値により該コーティング材料が分解して前記同位体標識物質を放出するように選ばれる、請求項４３に記載の基質。
【請求項４５】
前記マイクロカプセル化コーティング材料は、該コーティング材料が胃を通過した後に初めて分解して前記同位体標識物質を放出するように選ばれる、請求項４４に記載の基質。
【請求項４６】
前記同位体標識物質が十二指腸の通過を決定するためにマーカーとして用いられる、請求項４５に記載の基質。
【請求項４７】
前記マイクロカプセル化コーティング材料は、該コーティング材料が通過する酵素環境により生じる酵素作用の効果の下で該コーティング材料が分解して前記同位体標識物質を放出するように選ばれる、請求項４３に記載の基質。
【請求項４８】
前記酵素は、前記同位体標識物質が十二指腸の通過を決定するためにマーカーとして用いられるように、膵臓および胆嚢の少なくとも１つにより分泌されるものである、請求項４７に記載の基質。
【請求項４９】
前記マイクロカプセル化コーティング材料は、該コーティング材料が前記同位体標識物質よりも投与される食物に対して容易に結合できるものである、請求項４３に記載の基質。